(57)【特許請求の範囲】
【請求項１】
着衣に接する液不透過性の防漏層と、この防漏層上に配置された液保持性の吸収層とで縦長状に形成された吸収性物品であって、
前記防漏層には、着衣と着脱可能な止着手段が裏面側に設けられ、
前記防漏層の外周縁は前記吸収層の外周縁と外周縁接合部で全域にわたり接合され、
前記吸収層の前端側の少なくとも着用者の膣口当接領域は前記防漏層に固定部で固定され、
前記吸収層の前記防漏層に固定されていない後端側の非固定部の前記防漏層と前記吸収層との間に前記防漏層の後端部を前記吸収層に対して接離可能とする弛み部を設けたことを特徴とする吸収性物品。
【請求項２】
請求項１記載の吸収性物品であって、
前記吸収層は、液透過性の表面シートと、この表面シートに少なくとも肌当接面側が全面にわたり被われて接着一体化された吸収体とで形成され、
前記外周縁接合部は前記表面シートの外周縁と前記防漏層の外周縁とで形成され、
前記弛み部は前記表面シートの前記非固定部と前記防漏層との間に形成されていることを特徴とする吸収性物品。
【請求項３】
請求項１又は請求項２に記載の吸収性物品であって、
前記止着手段は、前記防漏層の後端側で少なくとも吸収体の可動領域の下部側まで設けられていることを特徴とする吸収性物品。
【請求項４】
請求項１乃至請求項３のいずれか１項に記載の吸収性物品であって、
前記弛み部は、前記表面シートを前記吸収体と防漏層との間に巻き込む巻き込み部であることを特徴とする吸収性物品。
【請求項５】
請求項１乃至請求項３のいずれか１項に記載の吸収性物品であって、
前記弛み部は、前記表面シートに設けた伸縮部であることを特徴とする吸収性物品。
【請求項６】
請求項１乃至請求項３のいずれか１項に記載の吸収性物品であって、
前記弛み部は、前記表面シートを幅方向外側に向けて延出させたたくれ部であることを特徴とする吸収性物品。
【請求項７】
請求項１乃至請求項３のいずれか１項に記載の吸収性物品であって、
前記弛み部は、前記表面シートを前記吸収体と防漏層との間に折り畳んだ折り畳み部であることを特徴とする吸収性物品。
【請求項８】
請求項１乃至請求項３のいずれか１項に記載の吸収性物品であって、
前記表面シートには、前記弛み部から連続して前記吸収体の側部に、長手方向に伸縮する弾性部が形成されていることを特徴とする吸収性物品。
【発明の詳細な説明】
【技術分野】
【０００１】
本発明は、使い捨て紙オムツ、生理用ナプキン、パンティーライナー、失禁パッド等に用いられる吸収性物品に関する。
【背景技術】
【０００２】
生理用ナプキン等の吸収性物品においては、吸収体が着用者の体の動きに合わせて動くことにより着用者の体との接触を維持して経血等の体液が漏れないようにすることが要求される。このため、特許文献１には、吸収層と防漏性の裏面シートとからなり、吸収体の長手方向の中央部が裏面シートに固定されることにより、吸収体の後側部分が自由端となっている吸収性物品が開示されている。
【０００３】
特許文献２には、表面シートと裏面シートとが後端側で接着されておらず、吸収体が一定距離自由に動ける構造の吸収性物品が開示されている。特許文献３には、弾性収縮力を有した素材からなる側面シートがジグザグ状に折り畳まれており、吸収体を固定した連結シートがこの側面シートに接合された構造の吸収性物品が開示されている。
【特許文献１】特開平１１−１０４１６９号公報
【特許文献２】特開平３−１８４５４２号公報
【特許文献３】特開２００１−２４５９２５公報
【発明の開示】
【発明が解決しようとする課題】
【０００４】
しかしながら、特許文献１記載の構造では、吸収体の後側部分が裏面シートから完全に分離しているため、後側部分の自由度が高すぎて吸収性物品の着用時に吸収体にヨレやズレが生じ、これによって体液の漏れを生じる問題がある。
【０００５】
特許文献２記載の構造では、吸収体が後端側で自由状態となっているため、後端側が動き易く、同様にヨレやズレが生じて漏れを発生する問題がある。
【０００６】
特許文献３記載の構造では、吸収体の長手方向全域において自由となっているため、吸収体が着用者の体に対して自由に動くことができ、ヨレやズレが発生する問題がある。
【０００７】
そこで、本発明は、吸収体が着用者の体の動きによって動くようになっていても、ヨレやズレの発生を抑制して漏れを防止することが可能な吸収性物品を提供することを目的とする。
【課題を解決するための手段】
【０００８】
請求項１の発明の吸収性物品は、 着衣に接する液不透過性の防漏層と、この防漏層上に配置された液保持性の吸収層とで縦長状に形成された吸収性物品であって、前記防漏層には、着衣と着脱可能な止着手段が裏面側に設けられ、前記防漏層の外周縁は前記吸収層の外周縁と外周縁接合部で全域にわたり接合され、前記吸収層の前端側の少なくとも着用者の膣口当接領域は前記防漏層に固定部で固定され、前記吸収層の前記防漏層に固定されていない後端側の非固定部の前記防漏層と前記吸収層との間に前記防漏層の後端部を前記吸収層に対して接離可能とする弛み部を設けたことを特徴とする。
【０００９】
請求項２の発明は、請求項１記載の吸収性物品であって、前記吸収層は、液透過性の表面シートと、この表面シートに少なくとも肌当接面側が全面にわたり被われて接着一体化された吸収体とで形成され、前記外周縁接合部は前記表面シートの外周縁と前記防漏層の外周縁とで形成され、前記弛み部は前記表面シートの前記非固定部と前記防漏層との間に形成されていることを特徴とする。
【００１０】
請求項３の発明は、請求項１又は請求項２に記載の吸収性物品であって、前記止着手段は、前記防漏層の後端側で少なくとも吸収体の可動領域の下部側まで設けられていることを特徴とする。
【００１１】
請求項４の発明は、請求項１乃至請求項３のいずれか１項に記載の吸収性物品であって、前記弛み部は、前記表面シートを前記吸収体と防漏層との間に巻き込む巻き込み部であることを特徴とする。
【００１２】
請求項５の発明は、請求項１乃至請求項３のいずれか１項に記載の吸収性物品であって、前記弛み部は、前記表面シートに設けた伸縮部であることを特徴とする。
【００１３】
請求項６の発明は、請求項１乃至請求項３のいずれか１項に記載の吸収性物品であって、前記弛み部は、前記表面シートを幅方向外側に向けて延出させたたくれ部であることを特徴とする。
【００１４】
請求項７の発明は、請求項１乃至請求項３のいずれか１項に記載の吸収性物品であって、前記弛み部は、前記表面シートを前記吸収体と防漏層との間に折り畳んだ折り畳み部であることを特徴とする。
【００１５】
請求項８の発明は、請求項１乃至請求項３のいずれか１項に記載の吸収性物品であって、前記表面シートには、前記弛み部から連続して前記吸収体の側部に、長手方向に伸縮する弾性部が形成されていることを特徴とする。
【発明の効果】
【００１６】
本発明によれば、吸収層の前端側の膣口当接領域が防漏層に固定されるため、膣口部分で吸収層の前端側がヨレやズレを発生することがなく体液の漏れを防止できる。又、防漏層の後端部を吸収層と接離可能とする弛み部が形成されているため、吸収層の後端部が防漏層に対して自由に動くことができる。従って、吸収層の後端部が体の動きに合わせて動いて体と密着し易くなり、漏れを防止できる。
【発明を実施するための最良の形態】
【００１７】
以下、本発明を図示する実施形態に基づいて説明する。なお、各実施形態において、同一の部材には、同一の符号を付して対応させてある。
【００１８】
（第１実施形態）
図１〜図８は本発明の第１実施形態の吸収性物品であり、図１は全体の平面図、図２は図１のＡ−Ａ線断面図、図３は図１のＢ−Ｂ線断面図、図４は図３におけるＤ部拡大断面図、図５〜図８は作動を示す断面図であり、図６は図１のＣ−Ｃ線における作動を示す断面図である。
【００１９】
この実施形態は、生理用ナプキン１への適用形態を示す。着衣に接する液不透過性の裏面シート３と、裏面シート３上に設けられた表面シート２と、裏面シート３及び表面シート２の間に設けられた吸収体７とを有しており、全体が縦長状に形成されている。
【００２０】
裏面シート３は防漏層となるものであり、疎水性不織布、不透水性のプラスティックフィルム、不織布と不透水性プラスティックフィルムとのラミネートシート等を用いることができる。又、耐水性の高いメルトブローン不織布や強度の強いスパンボンド不織布で挟んだＳＭＳ不織布を用いても良い。
【００２１】
表面シート２は透液性シートからなり、有孔又は無孔の不織布や多孔性プラスチックシート等の透液性材料を用いることができる。吸収体７は液吸収性及び液保持性を有した材料によって形成され、フラック状パルプもしくはエアレイド不織布と高吸収ポリマーとからなる材料を用いることができる。
【００２２】
この実施形態において、吸収体７は接着剤５によって表面シート２の裏面に接着されており、吸収体７及び表面シート２によって吸収層が形成されている。吸収体７は表面が肌当接面となっており、この肌当接面の全面にわたって表面シート２が被うようになっている。
【００２３】
表面シート２の外周縁と裏面シート３の外周縁とは外周縁接合部で全域にわたり接合される。外周縁接合部における接合は、表面シート２の外周縁と裏面シート３の外周縁との間に接着剤４を設けることにより行われる。
【００２４】
吸収体７の前端側は、着用者の膣口に当接する膣口当接領域７ａとなっている。膣口当接領域７ａは図２に示すように、裏面シート３と吸収体７との間に接着剤４を配置して、これらを接合することにより形成される。図２において、符号７ｂは膣口当接領域７ａを裏面シート３に接合するための接着用の固定部である。従って、吸収体７の膣口当接領域７ａは固定部７ｂによって裏面シート３によって剥離不能に接着されている。
【００２５】
図２に示すように、膣口当接領域７ａを含む吸収体７の前方部分では、表面シート２が幅方向に対して吸収体７の下側まで弛みがない状態で巻き込まれており、さらに吸収体７の下側で折り返された幅方向の端部がそのまま幅方向外側に延出している状態で接着剤４によって裏面シート３に接着されている。
【００２６】
これに対し、膣口当接領域７ａよりも後方側の吸収体７の後端部は、図３に示すように裏面シート３との間に接着剤が配置されることなく、裏面シート３と接着されない非固定部７ｃとなっている。非固定部７ｃでは、表面シート２が吸収体７の下側に巻き込まれており、吸収体７の下側に巻き込んだ部分は裏面シート３に接着されることなく、折り返して吸収体７の側端から外側に延出している。そして、この表面シート２の延出部分を裏面シート３と接着することで表面シート２に弛みを持たせており、この部分が弛み部８となっている。このように非固定部７ｃに対応した表面シート２に弛み部８を形成することにより、吸収体７と裏面シート３とがそれぞれ独立して動くことが可能となる。
【００２７】
表面シートの巻き込み幅Ｌ（図４参照）は、５ｍｍ以上２０ｍｍ以下が好ましく、最も好ましいのは１０〜２０ｍｍである。Ｌが５ｍｍ未満の場合には、吸収体７の後方部分の自由度が小さすぎるため体への追従性が伴わず、２０ｍｍを越える場合には、裏面シート３と吸収体７との間の空間が大きくなるため自由度が大きくなりすぎ、吸収体７のヨレやズレが発生する。なお、吸収体７の前後端縁から延出した表面シート２は弛みのない状態で裏面シート３と接着される。吸収体７と表面シート２とは、接着することなく、熱圧着等の手段によって一体化しても良い。
【００２８】
裏面シート３の裏面側には、止着手段としての粘着層６が設けられている。このことにより、裏面シート３は着衣との着脱が可能となっている。粘着層６は裏面シート３の後端側に設けられる。この場合、粘着層６としては図６に示すように、吸収体７が動く可動領域の下部側に達するように設けられるのが好ましい。このように粘着材６を設けることにより、後述する図８に示すように吸収体７を身体に密着させることができる。
【００２９】
この実施形態では、図５に示すように、ナプキン１の長手方向全域にわたり、表面シート２を幅方向に吸収体７の下側に寸法Ｌ（Ｌ＝５ｍｍ〜２０ｍｍ）巻き込み、折り返した幅を吸収体７の幅方向外側に延出してある。この折り返し幅Ｌにより表面シート２の弛み部８は長さ２Ｌの自由な部分となる（図５（ｂ）参照）。そして、裏面シート３と接着する部分を吸収体７の幅方向よりも外側に延出した部分に限定しているため、表面シート２における弛み部８は、２Ｌ＝１０ｍｍ〜４０ｍｍ存在することとなる。
【００３０】
ナプキン１を着用するときには図７に示すように、吸収体７の後端側はお尻の割れ目に挟まれて保持される。この吸収体７の後端側では、図６に示すように、粘着材６によって裏面シート３がショーツ（着衣）１０に止着されるが、吸収体７と裏面シート３とが接着されておらず、吸収体７は裏面シート３に対して自由に動くことが可能となっている。従って、生理用ナプキン１の着用時の動作により、ショーツ（着衣）１０が緊張状態となったとき、臀部においてショーツ１０と身体とが離れて裏面シート３が身体から離れても、吸収体７の後端側では、弛み部８が伸びる。このため、図８に示すように吸収体７が裏面シート３から離れ、お尻の割れ目に挟まれて身体に追従し、吸収体７着用者の身体との間に隙間が形成されることなく、吸収体７がお尻の割れ目にフィットするため、経血等の体液の漏れを防止することができる。
【００３１】
特に、後方への経血流れが発生し易い夜用対応の長いサイズのナプキンでは、装着時は吸収体７の後端側が尾▲てい▼骨近傍となり、その位置ではショーツ１０と身体とがピッタリと密着し、しかも吸収体７の後端側では表面シート２と裏面シート３とが接着一体化されて自由度がないため、ズレやヨレが生じることがない。吸収体７の前端側においても同様である。
【００３２】
膣口当接領域７ａ近傍から後方へかけて尾▲てい▼骨近傍までの臀部谷間は、着衣と身体とが密着し難い箇所となっている。この部分では、ナプキン１の裏面シート３と吸収体７とが接離可能な構造となっているため、吸収体７はズレやヨレが生じることなく、裏面シート３から離れて身体と密着し易くなり、漏れを防止することができる。
【００３３】
膣口当接領域７ａ付近では、ナプキンは着衣によって身体へ強く押し付けられるため、吸収体が身体から離れることはなく、閉脚状態での両腿による圧迫でナプキンが幅方向に変形し、漏れが生じ易くなるという別の課題が発生する。これに対し、この実施形態では、この部分では吸収体７と裏面シート３とが接着一体化されてヨレやズレがないため、これらに起因した漏れを防止することが可能となっている。
【００３４】
なお、膣口当接領域７ａ近傍よりも前方にかけては、臀部と異なってナプキンに作用するような身体の動きが少ないため、吸収体７と裏面シート３とを接着しても、接着しなくても良い。
【００３５】
以上の実施形態では、前端側の膣口当接領域７ａでは、裏面シート３と吸収体７とが接着されているため、この領域７ａでは身体とのズレがなく経血を吸収することができる。後端側では、吸収体７と裏面シート３が接着されておらず、接離可能となっているため、後端側では、粘着材６を介してショーツ１０に止着しても、吸収体７が身体とショーツ１０との間での動くことができ、ショーツと身体に隙間ができても吸収体７は身体の動きに追従することができ、経血の漏れを防止することができる。
【００３６】
（第２実施形態）
図９は本発明の第２実施形態を示す。この実施形態の生理用ナプキン１Ｂでは、表面シート２に接着一体化されている吸収体７の両側の幅方向に撥水性シート１１が配置されている。撥水性シート１１は、裏面シート３と接着剤５により接着されるが、吸収体７における後端側の下側は吸収体７に巻き込まれるだけであって、裏面シート３と接着されていない。このようにして吸収体７の下側に巻き込まれた部分が弛み部８となる。又、撥水性シート１１は表面シート２の幅方向の両側を被っている。この撥水性シート１１を設けることにより第１実施形態と同様な効果を得ることができるのに加えて、経血が表面シート２を伝って滲み漏れすることがなく、経血の漏れを低減することができる。
【００３７】
（第３実施形態）
図１０は本発明の第３実施形態を示す。この実施形態の生理用ナプキン１Ｃにおいては、表面シート２における吸収体７の幅方向両側部分に伸縮部１２が設けられている。伸縮部１２は、表面シート２の一部を伸縮可能な素材とすることにより形成することができ、表面シート２の弛み部８となる。このように、弛み部８を伸縮部１２とすることにより、弛み部８を吸収体７の下側に巻き込む必要がなくなる。
【００３８】
本実施形態の伸縮部１２に用いられる伸縮材料としては、少なくとも製品の幅方向に伸張、伸縮するものであれば、問題なく使用できるが、肌触りを考慮すると肌当接面側には、不織布等の繊維集合体を配置することが好ましい。
【００３９】
例えば、ポリプロピレン等のポリオレフィン繊維とポリウレタン等の伸縮性繊維を混織又は積織し、部分的に熱融着後、延伸した伸縮性不織布や、ポリウレタン等の伸縮性フィルム又は、弾性糸を伸張状態でポリウレタン等のポリオレフィン繊維からなる不織布に複合化した伸縮性複合材料を使用することが可能である。
【００４０】
（第４実施形態）
図１１は本発明の第４実施形態を示す。この実施形態の生理用ナプキン１Ｄでは、表面シート２にたくれ部１３を形成することにより表面シート２の弛み部８としている。たくれ部１３は、表面シート２を吸収体７の下側に巻き込むことなく、吸収体７の幅方向外側に延出させることにより形成されている。かかるたくれ部１３を形成することにより、第１実施形態と同様な効果を得ることができる。
【００４１】
（第５実施形態）
図１２は本発明の第５実施形態を示す。この実施形態の生理用ナプキン１Ｅの弛み部８は表面シート２を２回折り返して折り畳んだ折り畳み部１４によって形成されている。従って、第１実施形態よりも吸収体７の自由度が大きくなっている。折り畳み部１４は、２回以上折り返しても良い。
【００４２】
（第６実施形態）
図１３は本発明の第６実施形態を示す。この実施形態の生理用ナプキン１Ｆでは、表面シート２と吸収体７との積層体の幅方向両側にギャザー部材１５が配置されている。ギャザー部材１５における吸収体７の後端側との対応部分は、吸収体７の下側に巻き込まれている。このことにより、弛み部８がギャザー部材１５によって形成されている。ギャザー部材１５には、長手方向に伸縮する弾性部１６が設けられており、ギャザー部材１５の伸長が円滑にできるようになっている。このようなギャザー部材１５を設けることにより第１実施形態と同様な効果に加えて、ギャザー部材１５が伸長するため安心感が得られると共に、漏れを低減することができる。
【００４３】
（第７実施形態）
図１４は本発明の第７実施形態を示す。この実施形態の生理用ナプキン１Ｇでは、ギャザー部材１５によって表面シート２が形成されている。ギャザー部材１５は、吸収体７の後端側で吸収体７の下側に巻き込まれる弛み部８と、吸収体７の側方に延出した部分に設けられた弾性部１６とを有している。これにより、第１実施形態と第６実施形態とを合わせた効果を得ることができる。
【００４４】
（第８実施形態）
図１５は本発明の第８実施形態を示す。この実施形態の生理用ナプキン１Ｈでは、吸収体７の幅方向の両側にギャザー部材１５が配置されている。又、吸収体７には表面シート２が接着されており、表面シート２には吸収体７の後端側で下側に巻き込まれる弛み部８が形成されている。ギャザー部材１５は、吸収体７の幅方向の外側に配置されており、長手方向に伸縮する弾性部１６を有している。
【００４５】
なお、上述した第６実施形態〜第８実施形態においては、ギャザー部材１５が弾性部１６を有しているため、吸収体７の下側に巻き込む弛み部８を形成する必要がないものである。
【図面の簡単な説明】
【００４６】
【図１】本発明の第１実施形態の全体の平面図である。
【図２】図１のＡ−Ａ線断面図である。
【図３】図１のＢ−Ｂ線断面図である。
【図４】図３におけるＤ部拡大断面図である。
【図５】（ａ）、（ｂ）は作動を示す断面図である。
【図６】図１のＣ−Ｃ線における作動を示す断面図である
【図７】作動を示す断面図である。
【図８】作動を示す断面図である。
【図９】本発明の第２実施形態の部分断面図である。
【図１０】本発明の第３実施形態の部分断面図である。
【図１１】本発明の第４実施形態の部分断面図である。
【図１２】本発明の第５実施形態の部分断面図である。
【図１３】本発明の第６実施形態の部分断面図である。
【図１４】本発明の第７実施形態の部分断面図である。
【図１５】本発明の第８実施形態の部分断面図である。
【符号の説明】
【００４７】
１，１Ａ，１Ｂ，１Ｃ，１Ｄ，１Ｅ，１Ｆ，１Ｇ、１Ｈ  生理用ナプキン
２  表面シート
３  裏面シート
４，５  接着剤
６  粘着層
７  吸収体
７ａ  膣口当接領域
７ｂ  固定部
７ｃ  非固定部
８  弛み部
１０  着衣（ショーツ）
１１  撥水性シート
１２  伸縮部
１３  たくれ部
１４  折り畳み部
１５  ギャザー部材
１６  弾性部
【図１】
0005065950.tif 000002
【図２】
0005065950.tif 000003
【図３】
0005065950.tif 000004
【図４】
0005065950.tif 000005
【図５】
0005065950.tif 000006
【図６】
0005065950.tif 000007
【図７】
0005065950.tif 000008
【図８】
0005065950.tif 000009
【図９】
0005065950.tif 000010
【図１０】
0005065950.tif 000011
【図１１】
0005065950.tif 000012
【図１２】
0005065950.tif 000013
【図１３】
0005065950.tif 000014
【図１４】
0005065950.tif 000015
【図１５】
0005065950.tif 000016